(57)【特許請求の範囲】
【請求項１】
側溝ブロックと、その側溝ブロックに取り付けられる排水具とを有し、
前記側溝ブロックは、その側溝ブロック内の水路に通じるように、その側溝ブロックの側壁に貫通状に形成された排水通路と、前記側壁の外側面に形成されて、前記側壁の上端部に開口するとともに前記排水通路の入り口部に通じる連通凹部とを備え、
前記排水具は、平板状であって、前記入り口部との間に所要の間隙を形成して、その入り口部および前記連通凹部を覆うように、前記側壁の外側面に取り付けられ、
その排水具には、表裏方向に開けられた単数もしくは複数の貫通孔または／および切り欠きが設けられており、
前記排水具が前記側壁に取り付けられた前記側溝ブロックを道路に埋設することで、前記間隙または／および前記連通凹部に通じる前記貫通孔または／および切り欠きが、前記側壁の側方側の雨水等を前記入り口部に流す第一流路を形成し、上方にあらわれて開口する前記連通凹部が、前記側壁の上方側の雨水等を前記入り口部に流す第二流路を形成し、かつ、
前記側壁には、前記排水具の裏面が近接もしくは当接可能であるとともに前記側壁の上端部から上下方向に延びる単数もしくは複数の凸部が設けられており、その凸部を間において、もしくは、それら凸部間に、前記連通凹部の少なくとも一部が形成されることを特徴とする排水構造。
【請求項２】
前記側壁の外側面には、前記排水具が収められる収納凹部が設けられていることを特徴とする請求項１に記載の排水構造。
【請求項３】
前記連通凹部の下面は、前記入り口部側ほど下がるようにして、その入り口部に達する傾斜面となっていることを特徴とする請求項１または２に記載の排水構造。
【請求項４】
前記側溝ブロックは、二つ備わり、それら二つの側溝ブロックが、前記水路の延びる方向に並んで配置されて、
前記排水通路および前記連通凹部は、前記各側溝ブロックの、互いに他の側溝ブロック側となる端部部分に設けられ、
前記排水具は、前記各側溝ブロックの、前記入り口部および連通凹部を覆うようにして、前記二つの側溝ブロックに掛け渡して取り付けられることを特徴とする請求項１ないし３のいずれか１項に記載の排水構造。
【請求項５】
表裏方向に開けられた単数もしくは複数の貫通孔または／および切り欠きが設けられる排水具が取り付けられる、側溝ブロックであって、
その側溝ブロック内の水路に通じるように、その側溝ブロックの側壁に貫通状に形成された排水通路と、前記側壁の外側面に形成されて、前記側壁の上端部に開口するとともに前記排水通路の入り口部に通じる連通凹部とを備え、
前記側壁には、前記排水具の裏面が近接もしくは当接可能であるとともに前記側壁の上端部から上下方向に延びる単数もしくは複数の凸部が設けられており、その凸部を間において、もしくは、それら凸部間に、前記連通凹部の少なくとも一部が形成されることを特徴とする側溝ブロック。
【発明の詳細な説明】
【０００１】
【発明の属する技術分野】
この発明は、道路に浸透した雨水、側溝ブロックとの境界付近の路面上の雨水等を、その側溝ブロック内に排水することができる排水構造、および側溝ブロックに関するものである。
【０００２】
【従来の技術】
従来、地中水または側溝ブロック側壁に接する地表水を側溝内へ導水するため、前記側壁等に形成された、外面から内面に連通する切欠部等に、導水用部材を装着した側溝ブロックがあった（例えば、特許文献１参照。）。前記導水用部材は、板状基壁を備えており、その表裏面間に、地中水または側溝ブロック側壁に接する地表水を側溝内へと導水するための、接水等の導入孔が設けられており、かつ、板状基壁の上側面に、地表水を側溝内へと導水するための、地表水導入孔が設けられていた。そして、前記接水等の導入孔によって、前記側溝ブロック側壁に接する段差部分に溜まった雨水等を、側溝内に導水していた。
【０００３】
【特許文献１】
特開平１１−２６９９６９号公報（図１８、図２０）
【０００４】
【発明が解決しようとする課題】
ところが、前記導水用部材は、既述の通り、側溝ブロック側壁等に形成された、外面から内面に連通する切欠部等に装着されるものであるため、大がかりな構造のものとなり、また、充分な剛性を付与するために、例えば金属製にするとコスト的に高価なものにならざるをえなかった。
【０００５】
この発明は、上記した従来の欠点を解決するためになされたものであり、その目的とするところは、道路に浸透した雨水、側溝ブロックとの境界付近の路面上の雨水等を、その側溝ブロック内に排水することができる、製造コストが安価な排水構造、および側溝ブロックを提供することにある。
【０００６】
【課題を解決するための手段】
この発明に係る排水構造、および側溝ブロックは、前記目的を達成するために、次の構成からなる。すなわち、
請求項１に記載の発明に係る排水構造は、側溝ブロックと、その側溝ブロックに取り付けられる排水具とを有する。前記側溝ブロックは、その側溝ブロック内の水路に通じるように、その側溝ブロックの側壁に貫通状に形成された排水通路と、前記側壁の外側面に形成されて、前記側壁の上端部に開口するとともに前記排水通路の入り口部に通じる連通凹部とを備える。また、前記排水具は、平板状であって、前記入り口部との間に所要の間隙を形成して、その入り口部および前記連通凹部を覆うように、前記側壁の外側面に取り付けられる。そして、その排水具には、表裏方向に開けられた単数もしくは複数の貫通孔または／および切り欠きが設けられている。そこで、前記排水具が前記側壁に取り付けられた前記側溝ブロックを道路に埋設することで、前記間隙または／および前記連通凹部に通じる前記貫通孔または／および切り欠きが、前記側壁の側方側の雨水等を前記入り口部に流す第一流路を形成し、上方にあらわれて開口する前記連通凹部が、前記側壁の上方側の雨水等を前記入り口部に流す第二流路を形成する。そして、前記側壁には、前記排水具の裏面が近接もしくは当接可能であるとともに前記側壁の上端部から上下方向に延びる単数もしくは複数の凸部が設けられており、その凸部を間において、もしくは、それら凸部間に、前記連通凹部の少なくとも一部が形成される。
【０００７】
これによれば、側壁の側方側の雨水等、例えば、道路の透水層に浸透した雨水等は、排水具の貫通孔または／および切り欠きを通って、その排水具の内側に進入するとともに、前記所要の間隙および前記入り口部を介して、排水通路へと流れて、側溝ブロック内の水路へと排水される。しかも、側壁の上方側の雨水等、例えば、側溝ブロックとの境界付近の路面上の雨水等は、上方にあらわれて開口する前記連通凹部を通って、その排水具の内側に進入するとともに、前記所要の間隙および前記入り口部を介して、排水通路へと流れて、側溝ブロック内の水路へと排水される。そして、前記貫通孔または／および切り欠きが、側溝ブロックの側壁の上端部分に近い位置にも設けられている場合には、前記側溝ブロックとの境界部分の路面が沈下して形成される窪みに溜まった雨水等についても、前記貫通孔または／および切り欠きを通って、その排水具の内側に進入するとともに、前記所要の間隙および前記入り口部を介して、排水通路へと流れて、側溝ブロック内の水路へと排水される。
【０００８】
【０００９】
【００１０】
また、排水具の裏面が、側壁に設けられた単数もしくは複数の凸部に近接もしくは当接することにより、その凸部を間において、もしくは、それら凸部間に、雨水等を流すための流路が形成されるので、前記雨水は、前記流路を介して、側溝ブロック内の水路へと、確実に排水される。
【００１１】
また、請求項２に記載の発明に係る排水構造のように、前記側壁の外側面には、前記排水具が収められる収納凹部が設けられているのが望ましい。これにより、排水具を、収納凹部に収めることで、その側壁の外側面から排水具が突出しないようにすることができるので、排水具の破損や脱落が生じにくくなる。また、排水具を、収納凹部に収めることで、排水具の位置決めが容易となる。
【００１２】
また、請求項３に記載の発明に係る排水構造のように、前記連通凹部の下面は、前記入り口部側ほど下がるようにして、その入り口部に達する傾斜面となっているのが望ましい。前記連通凹部に流れ込んだ雨水等は、傾斜面によって、入り口部に、確実に集水されるように流される。
【００１３】
また、請求項４に記載の発明に係る排水構造のように、前記側溝ブロックは、二つ備わり、それら二つの側溝ブロックが、前記水路の延びる方向に並んで配置されて、前記排水通路および前記連通凹部は、前記各側溝ブロックの、互いに他の側溝ブロック側となる端部部分に設けられ、前記排水具は、前記各側溝ブロックの、前記入り口部および連通凹部を覆うようにして、前記二つの側溝ブロックに掛け渡して取り付けられるのが望ましい。排水通路を側溝ブロックの端部部分以外に設ける場合、例えば、型枠の側板に、排水通路を形成するための排水通路形成型を、側溝ブロックの成形の度に脱着しなければならないという面倒があるととともに、型枠の構造が複雑になるが、側溝ブロックの端部部分に排水通路を設けることにより、そのような面倒が解消されるとともに、型枠の構造が簡素化される。
【００１４】
【００１５】
【００１６】
また、請求項５に記載の発明に係る側溝ブロックは、表裏方向に開けられた単数もしくは複数の貫通孔または／および切り欠きが設けられる排水具が取り付けられる、側溝ブロックである。この側溝ブロックは、その側溝ブロック内の水路に通じるように、その側溝ブロックの側壁に貫通状に形成された排水通路と、前記側壁の外側面に形成されて、前記側壁の上端部に開口するとともに前記排水通路の入り口部に通じる連通凹部とを備える。また、前記側壁には、前記排水具の裏面が近接もしくは当接可能であるとともに前記側壁の上端部から上下方向に延びる単数もしくは複数の凸部が設けられており、その凸部を間において、もしくは、それら凸部間に、前記連通凹部の少なくとも一部が形成される。
【００１７】
これによれば、側壁の側方側の雨水等、例えば、道路の透水層に浸透した雨水等は、排水具の貫通孔または／および切り欠きを通って、その排水具の内側に進入するとともに、排水通路へと流れて、側溝ブロック内の水路へと排水される。しかも、側壁の上方側の雨水等、例えば、側溝ブロックとの境界付近の路面上の雨水等は、上方に開口する前記連通凹部を通って、その排水具の内側に進入するとともに、排水通路へと流れて、側溝ブロック内の水路へと排水される。そして、前記貫通孔または／および切り欠きが、側溝ブロックの側壁の上端部分に近い位置にも設けられている場合には、前記側溝ブロックとの境界部分の路面が沈下して形成される窪みに溜まった雨水等についても、前記貫通孔または／および切り欠きを通って、その排水具の内側に進入するとともに、排水通路へと流れて、側溝ブロック内の水路へと排水される。
また、排水具の裏面が、側壁に設けられた単数もしくは複数の凸部に近接もしくは当接することにより、その凸部を間において、もしくは、それら凸部間に、雨水等を流すための流路が形成されるので、前記雨水は、前記流路を介して、側溝ブロック内の水路へと、確実に排水される。
【００１８】
【００１９】
【００２０】
【００２１】
【００２２】
【００２３】
【００２４】
【００２５】
【発明の実施の形態】
以下、この発明に係る排水構造、および側溝ブロックの一実施の形態を図面に基づいて説明する。
【００２６】
図１ないし図３は、本発明に係る排水構造、および側溝ブロックの第一の実施の形態を示す。図中符号１は、道路としての車道Ｙに沿って配備される、側溝ブロック体であって、この側溝ブロック体１は、例えば、Ｕ字側溝ブロックからなる側溝ブロック２と、その側溝ブロック２に取り付けられる排水具３とを備えている。
【００２７】
側溝ブロック２は、コンクリート製であって、その側溝ブロック２内の水路Ｓに通じるように、側壁４に斜めに下がるように貫通状に形成された排水通路５を備えているとともに、その側壁４の上部内側に、側溝蓋Ｆを載せるための蓋掛かり部４ａを備えている。また、側溝ブロック２は、車道Ｙ側の側壁４の外側面４ｂに形成された、前記排水具３が収められる収納凹部６、詳しくはその排水具本体８の本体部９が収められる収納凹部６と、前記排水路５の入り口部５ａに通じる連通凹部７とを備える。
【００２８】
収納凹部６は、連通凹部７を囲うようにして側壁４の上端部に開口するとともに、前記本体部９を収めても、側壁４の外側面４ｂから前記本体部９が突出しない程度の深さ、好ましくは、図示実施の形態に示されるように、収納凹部６に収められる前記本体部９の外表面と、前記外側面４ｂとが、ほぼ面一となる程度の深さで窪むように形成されている。また、収納凹部６の左右両側には、前記排水具３を、前記側壁に取り付けるための、取付部６ａ、６ａが設けられている。これら取付部６ａ、６ａは、前記収納凹部６と同じ深さで窪む取付凹部からなり、排水具３の後述する被取付部１０が収まるようになっているとともに、前記排水具３を、前記側壁４の外側面４ｂに取り付ける取付手段としての、例えば、両面粘着テープＰが貼り付けられるようになっている。
【００２９】
連通凹部７は、側壁４の上端部に、例えば、砂利などが通過しにくい大きさで開口する（図示実施の形態においては、側溝ブロック２の長手方向に沿って幅広に開口する。）とともに、収納凹部６の内側で、その収納凹部６よりも一段と深く窪むように形成されている。また、この連通凹部７の少なくとも一部、すなわち、図示実施の形態においては、前記入り口部５ａよりも上方に位置する凹部は、側壁４の上端部から上下方向に連続的に延びるように、かつ、間隔をおいて並ぶように設けられた、例えば、先端ほど幅狭となる横断面テーパ形状の、複数の凸部７ａ、７ａ間に形成される。そして、この連通凹部７の下面７ｂは、前記入り口部５ａ側ほど下がるようにして、その入り口部５ａに達する傾斜面となっている。
【００３０】
排水具３は、例えば、合成樹脂製の平板状からなる排水具本体８と、取付手段としての前記両面粘着テープＰとからなる。排水具本体８は、前記入り口部５ａを覆うとともに前記側壁４の外側面４ｂの上端部分に達するほどの大きさを備えた、本体部９と、この本体部９の左右両側に延設された、被取付部１０、１０とを備え、これら被取付部１０、１０の裏面には、前記両面粘着テープＰが貼り付けられている。また、本体部９には、表裏方向に開けられた複数の貫通孔１１、１１、例えば、砂利などが通過しにくい大きさの孔からなる貫通孔１１、１１が、本体部９のほぼ全域に設けられている。よって、前記排水具３はもしくは排水具本体８は、貫通孔１１が縦横に設けられた多孔板状となっている。
【００３１】
そして、側溝ブロック２の収納凹部６に、排水具３の本体部９を収めるとともに、排水具３の被取付部１０を取付部６ａに収めて、両面粘着テープＰを、取付部６ａに貼り付けることにより、排水具３、すなわち排水具本体８は、その本体部９と、前記排水通路５の入り口部５ａとの間に所要の間隙Ｋを形成して、その入り口部５ａおよび前記連通凹部７を覆うように、かつ、前記貫通孔１１、１１が前記間隙Ｋまたは／および前記連通凹部７に通じるように、前記側壁４の外側面に取り付けられる。このようにして、排水具３を側壁４に取り付けることによって、前記間隙Ｋまたは／および前記連通凹部７に通じる貫通孔１１、１１が、側壁４の側方側の雨水等を排水通路５の入り口部５ａに流す第一流路Ｒ１を形成し、上方に開口する連通凹部７が、前記側壁４の上方側の雨水等を前記入り口部５ａに流す第二流路Ｒ２を形成する。なお、図示実施の形態においては、両面粘着テープＰが、前記取付部６ａと前記被取付部１０との間に介在する関係上、排水具３の裏面３ａが複数の凸部７ａ、７ａにぴったりと当接することなく、すなわち、近接して、複数の凸部７ａ、７ａ間に、前記第二流路Ｒ２が形成されるようになっているが、好ましくは、排水具３の裏面３ａは、複数の凸部７ａ、７ａに当接するのがよい。
【００３２】
そして、側壁４の側方側の雨水等、例えば、道路としての車道Ｙの透水層Ｔに浸透した雨水等は、排水具３の複数の貫通孔１１、１１を通って、その排水具３の内側に進入し、かつ、前記連通凹部７を通過するとともに、前記所要の間隙Ｋおよび前記入り口部５ａを介して、排水通路５へと流れて、側溝ブロック２内の水路Ｓへと排水される。しかも、側壁４の上方側の雨水等、例えば、側溝ブロック２との境界付近の路面上の雨水等は、上方に開口する前記連通凹部７を通って、その排水具３の内側に進入し、前記所要の間隙Ｋおよび前記入り口部５ａを介して、排水通路５へと流れて、側溝ブロック２内の水路Ｓへと排水される。そして、図示実施の形態においては、前記複数の貫通孔１１、１１は、側溝ブロック２の側壁４の上端部分に近い位置にも設けられているので、前記側溝ブロック２との境界部分の路面が沈下して形成される窪みＮ（図１において二点鎖線で示す）に溜まった雨水等についても、前記複数の貫通孔１１、１１を通って、その排水具３の内側に進入し、かつ、前記連通凹部７を通過するとともに、前記所要の間隙Ｋおよび前記入り口部５ａを介して、排水通路５へと流れて、側溝ブロック２内の水路Ｓへと排水される。
【００３３】
この第一の実施の形態に示す排水構造、側溝ブロック２、および排水具３によれば、複数の貫通孔１１、１１と、側溝ブロック２の連通凹部７とで、道路としての車道Ｙの透水層Ｔに浸透した雨水、側溝ブロック２との境界付近の路面上の雨水、さらには、側溝ブロック２との境界部分の路面が沈下して形成される窪みＮに溜まった雨水等を、側溝ブロック２内に排水することができ、何ら大掛かりな構造を必要としない。
【００３４】
また、排水具本体８の本体部９、すなわち排水具３を、収納凹部６に収めることで、側壁４の外側面４ｂから前記本体部９が突出しないので、排水具本体８の本体部９、すなわち排水具３の破損や脱落を生じにくくすることができ、しかも、排水具本体８の本体部９、すなわち排水具３の位置決めを容易に行うことができる。また、連通凹部７の下面７ｂは、前記入り口部５ａ側ほど下がるようにして、その入り口部５ａに達する傾斜面となっているので、連通凹部７に流れ込んだ雨水等を、前記傾斜面によって、入り口部５ａに、確実に集水して流すことができる。
【００３５】
なお、本発明に係る排水構造、および側溝ブロック２は、上述した実施の形態に限定されるわけではなく、その他種々の変更が可能である。例えば、第一の実施の形態においては、排水通路５および連通凹部７、並びに収納凹部６が、側溝ブロック２の端部以外の場所に設けられているが、図４および図５に示す第二の実施の形態の排水構造、側溝ブロック２、および排水具３のように、排水通路５および連通凹部７、並びに収納凹部６は、二つの側溝ブロック２、２が、その水路Ｓ１の延びる方向に並んで配置されている、各側溝ブロック２、２の、互いに他の側溝ブロック２側となる端部部分に設けられるような態様であってもよい。
【００３６】
この第二の実施の形態の排水通路５および連通凹部７、並びに収納凹部６は、第一の実施の形態の排水通路５および連通凹部７、並びに収納凹部６とほぼ同形状であって、二つの側溝ブロック２、２に分割されるようにして設けられている。つまり、排水通路５がその中央で左右に分割されてようにして設けられている。もっとも、連通凹部７の下面７ｂは、ほぼ水平となっている。このように、連通凹部７の下面７ｂは、必ずしも、前記入り口部５ａ側ほど下がるようにして、その入り口部５ａに達する傾斜面となる必要はない。また、第二の実施の形態の排水具３は、複数の貫通孔１１、１１以外に、本体部９の上端部に切り開けられた、前記連通凹部７に通じる、複数の切り欠き１１ａ、１１ａが設けられている。そして、この排水具３は、前記各側溝ブロック２、２の前記入り口部５ａおよび前記連通凹部７を覆うように、かつ、その排水具本体８の本体部９が、前記収納凹部６に収められるようにして、前記二つの側溝ブロック２、２に掛け渡して取り付けられている。
【００３７】
そして、既述したように、第一の実施の形態においては、排水通路５が側溝ブロック２の端部部分以外に設けられているので、例えば、型枠の側板（図示なし）に、排水通路５を形成するための排水通路形成型を、側溝ブロック２の成形の度に脱着しなければならないという面倒があるととともに、型枠の構造が複雑になる。しかし、この第二の実施の形態によれば、排水通路５が、各側溝ブロック２、２の、互いに他の側溝ブロック２側となる端部部分に設けられているので、そのような面倒が解消されて排水通路５を容易に形成することができ、しかも、型枠の構造を簡素化することができる。また、前記複数の切り欠き１１ａ、１１ａが、側溝ブロック２の側壁４の上端部分に位置するように設けられているので、側溝ブロック２との境界部分の路面が沈下して形成される窪みが、わずかに窪んだ窪みであったとしても、その窪みに溜まった雨水等は、複数の切り欠き１１ａ、１１ａによって集水されて、連通凹部７へと流れる。
【００３８】
なお、第一および第二の実施の形態においては、側溝ブロック２の収納凹部６に、排水具３の本体部９を収めることにより、排水具３、すなわち排水具本体８は、その本体部９と、前記入り口部５ａとの間に、所要の間隙Ｋを形成するようになっているが、この所要の間隙Ｋが形成されないように、つまり、入り口部５ａの周りの側壁４の外側面４ｂと、前記本体部９の一部とが当接するようになっていてもよい。この場合、連通凹部７を介して、排水具３の内側に進入した雨水等が排水されるように、前記排水通路５には、前記連通凹部７と通じる、前記入り口部５ａとは別の連通口が設けられる。また、複数の凸部７ａ、７ａは、上下に延びるように連続的に設けられているが、断続的に設けられていてもよく、また、凸部７ａは複数でなく単数だけ設けられていてもよく、さらに、凸部７ａは、必ずしも設けられていなくてもよい。なお、凸部７ａが単数の場合については、その凸部７ａを間において、前記連通凹部７の一部が形成される。
【００３９】
また、本発明に係る排水構造、および側溝ブロック２は、次のような態様であってもよい。図６ないし図８は、本発明に係る排水構造、および側溝ブロックの第三の実施の形態を示す。図中符号１は、道路としての車道Ｙに沿って配備される、側溝ブロック体であって、この側溝ブロック体１は、例えば、Ｕ字側溝ブロックからなる側溝ブロック２と、その側溝ブロック２に取り付けられる排水具３とを備えている。
【００４０】
側溝ブロック２は、コンクリート製であって、側溝ブロック２内の水路Ｓに通じるように、側壁４に斜めに下がるように貫通状に形成された排水通路５を備えているとともに、その側壁４の内側に、側溝蓋Ｆを載せるための蓋掛かり部４ａを備えている。また、側溝ブロック２は、道路としての車道Ｙ側の側壁４の外側面４ｂに形成されて、前記側壁４の上端部に開口する（図示実施の形態においては、側溝ブロック２の長手方向に沿って幅広に開口する。）、前記排水具３が収められる収納凹部６、詳しくはその排水具本体８の本体部９が収められる収納凹部６を備えている。そして、この収納凹部６は、前記本体部９を収めても、側壁４の外側面４ｂから前記本体部９が突出しない程度の深さ、好ましくは、図示実施の形態のように、収納凹部６に収められる前記本体部９の外表面と、前記外側面４ｂとが、ほぼ面一となる程度の深さで窪むように形成されている。また、この収納凹部６の左右両端部には、前記排水具３を、前記側壁に取り付けるための、取付部６ａ、６ａが設けられている。これら取付部６ａ、６ａは、前記収納凹部６よりも浅く窪む取付凹部からなり、排水具３の後述する被取付部１０が収まるようになっているとともに、前記排水具３を、前記側壁４の外側面４ｂに取り付ける取付手段としての、例えば、両面粘着テープＰが貼り付けられるようになっている。
【００４１】
排水具３は、例えば、合成樹脂製の平板状からなる排水具本体８と、前記取付手段としての両面粘着テープＰとからなる。排水具本体８は、前記側壁４の上端部分に達するほどの大きさを備えた、本体部９と、この本体部９の左右両側に延設された、被取付部１０、１０とを備え、これら被取付部１０、１０の裏面には、前記両面粘着テープＰが貼り付けられている。また、排水具本体８は、本体部９の上部を除く周縁部にて、その本体部９の後方に突き出る第一突起部１２（左右両側にて上下方向に延びて側板部を形成するように位置する第一突起部１２、および、下部にて横方向に延びて底板部を形成するように位置する第一突起部１２）と、この第一突起部１２に囲われるようにして、本体部９の後方に間隔をおいて並ぶように突き出る複数の第二突起部１２ａとを備えている。もっとも、これら第一突起部１２および第二突起部１２ａは、排水具３の本体部９と、収納凹部６の立壁面６ｂとの間で、例えば、砂利などが通過しにくい大きさの開口、もしくは、間隙を形成する程度に、本体部９の後方に突き出るのが好ましい。そして、これら第一突起部１２および第二突起部１２ａの内の一部の突起部、すなわち、図示実施の形態において、第二突起部１２ａ、１２ａは、その下端部が、前記本体部９の、前記側壁４の前記入り口部５ａを覆う部分まで連続的に延びている。勿論、全ての第二突起部１２ａでなく、第二突起部１２ａの内の一部の第二突起部１２ａが、前記入り口部５ａを覆う部分まで連続的に延びるように形成されていてもよい。また、本体部９には、表裏方向に開けられた複数の貫通孔１１、１１、例えば、砂利などが通過しにくい大きさの孔からなる貫通孔１１、１１が、前記第一突起部１２の内側で、前記複数の第二突起部１２ａにかからないような位置で、本体部９のほぼ全域に設けられている。よって、前記排水具３はもしくは排水具本体８は、貫通孔１１が縦横に設けられた多孔板状となっている。
【００４２】
そして、側溝ブロック２の収納凹部６に、排水具３の本体部９を収めるとともに、排水具３の被取付部１０を取付部６ａに収めて、両面粘着テープＰを、取付部６ａに貼り付けることにより、排水具３、すなわち排水具本体８は、前記排水通路５の入り口部５ａを覆うようにして、前記側壁４に取り付けられる。このとき、排水具３、すなわち排水具本体８は、前記第一突起部１２および第二突起部１２ａが、前記収納凹部６の立壁面６ｂに近接もしくは当接し、前記本体部９と、前記排水通路５の入り口部５ａとの間に、前記貫通孔１１、１１と通じる、所要の間隙Ｋ１を形成する（もちろん、前記貫通孔１１、１１は、後述する間隙Ｋ２、Ｋ３とも通じる。）。このようにして、排水具３を側壁４に取り付けることによって、所要の間隙Ｋおよび後述する間隙Ｋ２、Ｋ３に通じる貫通孔１１、１１が、側壁４の側方側の雨水等を排水通路５の入り口部５ａに流す第一流路Ｒ１を形成し、第一突起部１２と第二突起部１２ａとの間の、上方に開口する間隙Ｋ２、並びに、第二突起部１２ａ、１２ａ間の、上方に開口する間隙Ｋ３が、前記側壁４の上方側の雨水等を前記入り口部５ａに流す第二流路Ｒ２を形成する。
【００４３】
そして、側壁４の側方側の雨水等、例えば、道路としての車道Ｙの透水層Ｔに浸透した雨水等は、排水具３の複数の貫通孔１１、１１を通って、その排水具３の内側に進入するとともに、前記所要の間隙Ｋ１および前記入り口部５ａを介して、排水通路５へと流れて、側溝ブロック２内の水路Ｓへと排水される。しかも、側壁４の上方側の雨水等、例えば、側溝ブロック２との境界付近の路面上の雨水等は、第一突起部１２と第二突起部１２ａとの間の、上方に開口する間隙Ｋ２、並びに、第二突起部１２ａ、１２ａ間の、上方に開口する間隙Ｋ３を通って、その排水具３の内側に進入するとともに、前記所要の間隙Ｋ１および前記入り口部５ａを介して、排水通路５へと流れて、側溝ブロック２内の水路Ｓへと排水される。そして、図示実施の形態においては、前記複数の貫通孔１１、１１は、側溝ブロック２の側壁４の上端部分に近い位置にも設けられているので、前記側溝ブロック２との境界部分の路面が沈下して形成される窪みＮ（図６において二点鎖線で示す）に溜まった雨水等についても、前記複数の貫通孔１１、１１を通って、その排水具３の内側に進入し、前記間隙Ｋ２および前記間隙Ｋ３とを通過するとともに、前記所要の間隙Ｋ１および前記入り口部５ａを介して、排水通路５へと流れて、側溝ブロック２内の水路Ｓへと排水される。
【００４４】
この第三の実施の形態に示す排水構造、側溝ブロック２、および排水具３によれば、複数の貫通孔１１、１１と、間隙Ｋ２と、間隙Ｋ３とで、道路としての車道Ｙの透水層Ｔに浸透した雨水、側溝ブロック２との境界付近の路面上の雨水、さらには、側溝ブロック２との境界部分の路面が沈下して形成される窪みＮに溜まった雨水等についても、側溝ブロック２内に排水することができ、何ら大掛かりな構造を必要としない。また、排水具本体８の本体部９、すなわち排水具３を、収納凹部６に収めることで、側壁４の外側面４ｂから前記本体部９が突出しないので、排水具本体８の本体部９、すなわち排水具３の破損や脱落を生じにくくすることができ、しかも、排水具本体８の本体部９、すなわち排水具３の位置決めを容易に行うことができる。
【００４５】
なお、この第三の実施の形態においても、第二の実施の形態のように、排水通路５および収納凹部６は、二つの側溝ブロック２、２が、その水路Ｓの延びる方向に並んで配置されている、各側溝ブロック２、２の、互いに他の側溝ブロック２側となる端部部分に設けられるような態様であってもよい。また、第一突起部１２および第二突起部１２ａは、必ずしも図示実施の形態に示されるように、連続的に延びるように設けられる必要はなく、断続的に設けられていてもよい。また、第一突起部１２および第二突起部１２ａの内、いずれか一方が省略されても構わない。また、側溝ブロック２の収納凹部６に、排水具３の本体部９を収めることにより、排水具３、すなわち排水具本体８は、その本体部９と、前記排水通路５の入り口部５ａとの間に、所要の間隙Ｋ１を形成するようになっているが、この所要の間隙Ｋ１が形成されないように、つまり、入り口部５ａの周りの側壁４の外側面４ｂと、前記本体部９の一部とが当接するようになっていてもよい。この場合、前記間隙Ｋ２または／および前記間隙Ｋ３を介して、排水具３の内側に進入した雨水等が排水されるように、排水通路５には、前記間隙Ｋ２または／および前記間隙Ｋ３と通じる、前記入り口部５ａとは別の連通口が設けられる。
【００４６】
また、第一および第三の実施の形態においても、第二の実施の形態と同様に、排水具３の本体部９に、複数の貫通孔１１、１１とともに、単数もしくは複数の切り欠き１１ａを設けてもよい。また、第一ないし第三の実施の形態の排水具３は、貫通孔１１が複数設けられているが単数であってもよく、また、その貫通孔１１は、例えば上下方向に細長く延びる長孔状であってもよい。また、複数の貫通孔１１、１１に代えて、複数あるいは単数の切り欠き１１ａのみ備える、排水具３であってもよい。この場合、切り欠き１１ａは、前記本体部９の、前記側壁４の前記入り口部５ａを覆う部分まで開けられた、上下方向に細長く延びる長孔状の切り欠きであるのが好ましいが、この限りではない。また、貫通孔１１は、必ずしも排水具３の本体部９の全域に満遍なく設けられる必要はなく、例えば、排水通路５の入り口部５ａに対面する部分のみ、あるいは、排水通路５の入り口部５ａと対面する部分を除いたその他の部分のみに貫通孔１１を設けるなど、本体部９の特定部分のみに設けても構わない。
【００４７】
また、第一ないし第三の実施の形態においては、収納凹部６が側壁４に設けられているが、この収納凹部６は、側壁４に必ずしも設けられていなくてもよく、排水具３は、収納凹部６に収納されないようにして、側壁４の外側面４ｂに取り付けられるようなものであってもよい。この場合、取付部６ａ、６ａは、側壁４の外側面４ｂとなる。また、排水具３は、一つの排水通路５を覆うものでなく、側壁４に複数設けられた排水通路５を、一つの排水具３で覆うようなものであってもよい。また、排水具３は、側溝ブロック２の一方の側壁４のみならず双方の側壁４、４の外側面４ｂに取り付けられてもよく、また、その個数は、単数に限られるわけでなく、複数取り付けられてもよい。また、排水具３は、合成樹脂製以外の、例えば、金属製その他の材料からなる排水具３であってもよく、また、その本体部９の形状も、図示実施の形態に示される矩形状以外の形状、例えば、円形状、楕円形状その他の形状であってよく、これらに限定されない。また、排水具３を、前記側壁４に取り付けるための取り付け手段は、両面粘着テープＰ以外の取付手段であってもよく、例えば、接着材、ボルト等のその他の取付手段であってもよい。また、側溝ブロック２は、Ｕ字側溝ブロックに限られるものでなく、例えば、門型の勾配可変型側溝ブロックとか、暗渠型側溝ブロック等のその他の側溝ブロックであっても構わない。
【００４８】
【発明の効果】
請求項１に記載された排水構造、および、請求項５に記載された側溝ブロックによれば、構造が大掛かりになることもなく、しかも、道路に浸透した雨水、側溝ブロックの境界付近の路面上の雨水等を、その側溝ブロック内に排水することができる。また、排水具の貫通孔または／および切り欠きが、側溝ブロックの側壁の上端部分に近い位置にも設けられている場合には、側溝ブロックとの境界部分の路面が沈下して形成される窪みに溜まった雨水等についても、側溝ブロック２内に排水することができる。そして、その製造コストは、安価である。
【００４９】
また、側壁に設けられた凸部を間において、もしくは、それら凸部間に形成される、雨水等を流すための凹部からなる流路を介して、前記雨水を側溝ブロック内の水路へと、確実に排水することができる。
【００５０】
また、請求項２に記載された排水構造によれば、加えて、排水具を、収納凹部に収めることで、排水具の破損や脱落を生じにくくすることができる。しかも、排水具の位置決めを容易に行うことができる。
【００５１】
また、請求項３に記載された排水構造によれば、加えて、前記連通凹部に流れ込んだ雨水等を、排水通路の入り口部に、確実に集水して流すことができる。
【００５２】
また、請求項４に記載された排水構造によれば、加えて、排水通路を容易に形成することができ、しかも、型枠の構造を簡素化することができる。
【００５３】
【００５４】
【図面の簡単な説明】
【図１】この発明に係る排水構造、および側溝ブロックの第一の実施の形態の縦断面図である。
【図２】同じく、正面図である。
【図３】同じく、分解斜視図である。
【図４】この発明に係る排水構造、および側溝ブロックの第二の実施の形態の正面図である。
【図５】同じく、分解斜視図である。
【図６】この発明に係る排水構造、および側溝ブロックの第三の実施の形態の縦断面図である。
【図７】同じく、正面図である。
【図８】同じく、分解斜視図である。
【符号の説明】
２    側溝ブロック
３    排水具
３ａ  排水具の裏面
４    側壁
４ｂ  側壁の外側面
５    排水通路
５ａ  入り口部
６    収納凹部
６ａ  取付部
７    連通凹部
７ａ  凸部
７ｂ  連通凹部の下面
８    排水具本体
９    本体部
１１      貫通孔
１１ａ    切り欠き
Ｋ  所要の間隙
Ｒ１  第一流路
Ｒ２  第二流路
Ｓ        水路
【図１】
0003554315.tif 000002
【図２】
0003554315.tif 000003
【図３】
0003554315.tif 000004
【図４】
0003554315.tif 000005
【図５】
0003554315.tif 000006
【図６】
0003554315.tif 000007
【図７】
0003554315.tif 000008
【図８】
0003554315.tif 000009